(57)【要約】      （修正有）【課題】外蓋を開かなくても内側に設けられたミラーを使用できるようにしたコンパクト容器を提供する。【解決手段】容器本体３と、内面４Ｂにミラー８を備えた外蓋４と、外蓋４を容器本体３に対して開閉自在に支持する蝶番６とを有して外蓋４が容器本体３の上側を覆う閉状態において外蓋４と容器本体３とを保持可能とし、外蓋４の縦寸法を、容器本体３の縦寸法よりも長く形成し、閉状態においてミラー８の一部が露出される構成とする。【選択図】図３
2016158764.tif 000002
【特許請求の範囲】
【請求項１】
容器本体（３）と、内面（４Ｂ）にミラー（８）を備えた外蓋（４）と、該外蓋（４）を前記容器本体（３）に対して開閉自在に支持する蝶番（６）とを有して前記外蓋（４）が前記容器本体（３）の上側を覆う閉状態において前記外蓋（４）と前記容器本体（３）とを保持可能とし、
前記外蓋（４）の縦寸法（Ｌ１）を、前記容器本体（３）の縦寸法（Ｌ２）よりも長く形成し、前記閉状態において前記ミラー（８）の一部が露出されるようにしたことを特徴とするコンパクト容器。
【請求項２】
容器本体（３）の背面（３Ｂ）に、ミラー（８）の露出部分を覆う保護カバー（２０）を設けた請求項１記載のコンパクト容器。
【請求項３】
容器本体（３）の背面（３Ｂ）の側壁内面（３Ｃ）と保護カバー（２０）の側面（２３）との一方に縦方向に延びる長溝（３ｂ）を形成し、他方に前記長溝（３ｂ）内を摺動する摺動片（２４）を形成することにより、保護カバー（２０）をスライド可能とした請求項２記載のコンパクト容器。
【請求項４】
保護カバー（２０）を透光性の合成樹脂材料で形成した請求項２又は３記載のコンパクト容器。
【請求項５】
蝶番（６）を、容器本体（３）の後端部（３Ｅ）両端に延設した一対の支持腕（３Ａ）と、前記一対の支持腕（３Ａ）の先端に設けた連結軸（７）とを有して構成すると共に、前記一対の支持腕（３Ａ）の先端を湾曲させ、前記連結軸（７）を前記容器本体（３）の上面よりも上方の位置に形成し且つ容器本体（３）の後端部（３Ｅ）と外蓋（４）の後端部（４Ｅ）との間の中間位置に形成する構成とした請求項１乃至４のいずれか一項に記載のコンパクト容器。
【請求項６】
容器本体（３）の後端部（３Ｅ）側の上面に弾性部材（１１）を設けた請求項１乃至５のいずれか一項に記載のコンパクト容器。
【発明の詳細な説明】
【技術分野】
【０００１】
本発明は、化粧料や化粧用具等を収容して携帯するために利用されるコンパクト容器に関する。
【背景技術】
【０００２】
コンパクト容器は化粧料の携帯用等として用いられるが、この種のコンパクト容器は容器本体内に化粧料を収納すると共に、容器本体の後端部に内面にミラーを有して開閉自在に蝶着される外蓋で容器本体上側を全体的に覆うようになっている。そして、容器本体と外蓋とは両者の前端部に設けられたフック機構で閉状態が保持されており、容器本体の前端部に設けられた操作ボタンを操作するとフック機構が解除されるので、外蓋を開いてミラーを露出させ、化粧等のチェックができるようになっている（例えば、特許文献１）。
【先行技術文献】
【特許文献】
【０００３】
【特許文献１】特開２００１−５４４２４号公報
【発明の概要】
【発明が解決しようとする課題】
【０００４】
しかしながら、上記従来のコンパクト容器においては、例えば外出先や電車の中で化粧をチェックする際には、化粧料を用いない場合であっても外蓋を開いてミラーを露出させる必要がある。この時コンパクト容器内のパフや筆、あるいはシート等が落下してしまう虞があるという問題がある。このため、ちょっとミラーで確認したい時などには、外蓋を開かなくともミラーを使用することを可能とするコンパクト容器の開発が求められている。
本発明は、上記した従来技術における問題点を解消すべく、外蓋を開かなくても内側に設けられたミラーを使用できるようにしたコンパクト容器を創出することを課題とする。
【課題を解決するための手段】
【０００５】
上記課題を解決するための手段のうち、本発明の主たる手段は、
容器本体と、内面にミラーを備えた外蓋と、外蓋を容器本体に対して開閉自在に支持する蝶番とを有して外蓋が容器本体の上側を覆う閉状態において外蓋と容器本体とを保持可能とし、外蓋の縦寸法を、容器本体の縦寸法よりも長く形成し、閉状態においてミラーの一部が露出されるようにしたことを特徴とする、と云うものである。
【０００６】
本発明の主たる手段では、例えば化粧等をチェックするためだけに外蓋を開かなくとも外蓋の内面に設けたミラーを露出させることを達成し得る。このため、チェック用のミラーをコンパクト容器の外側に別途設ける必要がない。
【０００７】
本発明の他の構成は、上記主たる発明に、容器本体の背面に、ミラーの露出部分を覆う保護カバーを設けた、との構成を加えたものである。
【０００８】
上記構成では、外部の露出しているミラー表面の傷付き防止及び指紋等による汚れ防止を達成し得る。
【０００９】
本発明の他の構成は、上記発明に、容器本体の背面の側壁内面と保護カバーの側面との一方に縦方向に延びる長溝を形成し、他方に長溝内を摺動する摺動片を形成することにより、保護カバーをスライド可能とした、との構成を加えたものである。
【００１０】
上記構成では、使用時には保護カバーを前方にスライドさせることにより、ミラーを露出させてチェックすることを達成し得る。また携行時には保護カバーを後方にスライドさせてミラーを覆うことにより、ミラー表面を保護することを達成し得る。なお、外蓋を開放する場合には、保護カバーを前方にスライドさせてから行うことにより、外蓋の後端部と容器本体の後端部とが干渉しないスムーズな開きを達成し得る。
【００１１】
本発明の他の構成は、上記いずれかの発明に、保護カバーを透光性の合成樹脂材料で形成した、との構成を加えたものである。
【００１２】
上記構成では、保護カバーでミラーを覆った状態のまま透明又は半透明なカバー部を透して化粧のチェックを行うことを達成し得る。
【００１３】
本発明の他の構成は、上記いずれかの発明に、蝶番を、容器本体の後端部両端に延設した一対の支持腕と、一対の支持腕の先端に設けた連結軸とを有して構成すると共に、一対の支持腕の先端を湾曲させ、連結軸を容器本体の上面よりも上方の位置に形成し且つ容器本体の後端部と外蓋の後端部との間の中間位置に形成する構成とした、との構成を加えたものである。
【００１４】
上記構成では、外蓋の開閉（回転）動作の中心となる連結軸の位置を容器本体から離れた位置に設けることが可能となり、外蓋の後端部の軌跡が接地面、又は容器本体の後端部と干渉し難くなるため、外蓋の開閉操作をよりスムーズに行うことを達成し得る。
【００１５】
本発明の他の構成は、上記いずれかの発明に、容器本体の後端部側の上面に弾性部材を設けた、との構成を加えたものである。
【００１６】
上記構成では、ミラーの割れや傷付き等の防止、収容部内への粉塵等の侵入防止、さらには収容部内に収容されている化粧料の外部への漏れ防止を達成し得る。
【発明の効果】
【００１７】
本発明は、上記した構成となっているので、以下に示す効果を奏する。
本発明では、コンパクト容器の外蓋を開かなくとも内側に設けられたミラーを使用することが可能となるため、例えば外出先や混雑した電車内でも化粧のチェック等を容易に行うことができる。
【図面の簡単な説明】
【００１８】
【図１】本発明の第１実施例としてのコンパクト容器を示す斜視図である。
【図２】第１実施例としてのコンパクト容器について、外蓋を開いた開状態を示す斜視図である。
【図３】第１実施例としてのコンパクト容器を背面側から示す斜視図である。
【図４】第２実施例としてのコンパクト容器を背面側から示す分解斜視図である。
【図５】第２実施例としてのコンパクト容器について、保護カバーでミラーを保護した状態を示す斜視図である。
【図６】第２実施例としてのコンパクト容器について、図５の状態から保護カバーをスライドさせてミラーを部分的に露出させた状態を示す斜視図である。
【図７】本発明の第３実施例としてコンパクト容器について、外蓋を開いた開状態を示す斜視図である。
【図８】第３実施例としてのコンパクト容器について、外蓋を閉じた閉状態を示す断面図である。
【発明を実施するための形態】
【００１９】
以下、本発明の実施の形態について図面を参照しつつ説明する。
図１は本発明の第１実施例としてのコンパクト容器を示す斜視図、図２は第１実施例としてのコンパクト容器について、外蓋を開いた開状態を示す斜視図、図３は第１実施例としてのコンパクト容器を背面側から示す斜視図である。
以下の説明において、後方又は後端部とは後述の蝶番６を有する側を意味し、前方又は前端部とはその逆側（操作ボタン１０を有する側）を意味する。また幅方向とは前方と後方とを結ぶ縦方向に対して平面的に直交する方向を意味する。
【００２０】
本発明のコンパクト容器１は合成樹脂製であり、図１乃至図３に示すように、陥没形成された複数の収容部２を上面側に備えた容器本体３と、この容器本体３の上面を覆う外蓋４とを備える。容器本体３の後端部３Ｅで且つ幅方向の両端には、後方に突出する一対の支持腕３Ａ，３Ａが延設されている。支持腕３Ａは容器本体３の収容部２の上面よりも上方に突出するように湾曲形成されており、その先端にはピン状の連結軸７が設けられている。なお、容器本体３の収容部２内には図示しない化粧料、パフや化粧用具等が収納される。
【００２１】
容器本体３の前端部３Ｄに設けられた切欠き凹部３Ｆには、後述する外蓋４側に設けられた係止片４ａを係止する公知のフック機構９と、このフック機構９による係止を解除するための操作ボタン１０が設けられている。
尚、フック機構９については、開閉可能な構造であればどのような形態でもよく、形成位置も問わない。
【００２２】
外蓋４は平面視長方形状であり、その内面４Ｂの縁部には長方形状からなる枠部４ｂが設けられ、この枠部４ｂ内にミラー８を固定するための固定凹部４ｃが陥没形成されている。固定凹部４ｃの深さ寸法はミラー８の厚み寸法よりも大きく、ミラー８は固定凹部４ｃ内に埋没する状態で固着されている。また外蓋４の内面４Ｂの前方の位置には係止片４ａが突設されている。
【００２３】
フック機構９は切欠き凹部３Ｆの前面（収容部２の前面でもある。）には、上部側の位置に係止突起９ａが突設され、その下端の位置に傾斜部９ｂが突設されている（図８参照）。操作ボタン１０は切欠き凹部３Ｆ内に、縦方向に沿って進退自在に設けられている。操作ボタン１０の内側の中段近傍には、後方に向けて突出する押上片１０ａが設けられており、この押上片１０ａの先端部の上端は係止片４ａに当接可能にあり、下端は傾斜部９ｂに接している。
【００２４】
図１に示すように外蓋４を閉じると、外蓋４側の係止片４ａが容器本体３側のフック機構９を構成する係止突起９ａを下方に乗り越えて係止することにより（図８参照）、容器本体３の収容部２の上面を覆う閉状態を維持することができるようになっている。なお、この閉状態では、操作ボタン１０は、押上片１０ａが傾斜部９ｂによって押し出された前方の位置にある（図８参照）。
【００２５】
また操作ボタン２を押し込むと、押上片１０ａの下端が傾斜部９ｂの斜面に沿って上方に摺動し、押上片１０ａの上端が係止突起９ａを上方に押し上げる。これにより係止突起９ａが係止片４ａを上方に乗り越え、フック機構９の係止突起９ａと係止片４ａとの係止を解除することが可能となっている（図８参照）。
【００２６】
図１に示すように、外蓋４の表面４Ａは連結軸７よりも後端部４Ｅ側が、連結軸７よりも前端部４Ｄ側よりも厚肉に形成され、後端部４Ｅ側の表面４Ａ２と前端部４Ｄ側の表面４Ａ１とは連続する斜面４Ａ３を介して一体に形成されている。外蓋４は、後端部４Ｅ側において容器本体３側の一対の支持腕３Ａ，３Ａの先端に、連結軸７を介して開閉自在に支持される。すなわち、一対の支持腕３Ａ，３Ａ及び連結軸７は、容器本体３に対し外蓋４を開閉自在に支持する蝶番６を構成している。
【００２７】
ここで、容器本体３と外蓋４とは、外蓋４の縦寸法Ｌ１（図１参照）を、容器本体３の縦寸法Ｌ２（図２参照）よりも長い寸法で形成している（Ｌ１＞Ｌ２）。このため、図３に示すように、外蓋４を閉じた状態のコンパクト容器１では、その背面においてミラー８の一部が露出されるようになる。よって、使用者は、コンパクト容器１の外蓋４を開放しなくとも、コンパクト容器１を裏返して背面３Ｂ側に露出されているミラー８の一部を使用することにより、化粧等のチェックを容易に行うことが可能となる。
【００２８】
図４は第２実施例としてのコンパクト容器を背面側から示す分解斜視図、図５は第２実施例としてのコンパクト容器について、保護カバーでミラーを保護した状態を示す斜視図、図６は第２実施例としてのコンパクト容器について、図５の状態から保護カバーをスライドさせてミラーを部分的に露出させた状態を示す斜視図である。
【００２９】
第２実施例に示すコンパクト容器１が、第１実施例と異なる点は容器本体３の背面側の構成にあり、その他の構成及び効果は上述の第１実施例と共通している。したがって、以下においては、主に第１実施例と異なる点について説明する。なお、閉状態及び開状態を示すコンパクト容器１の表面側の構成は図１及び図２同様となる。
【００３０】
図４に示すように、第２実施例に示すコンパクト容器１は、容器本体３の収容部２の背面３Ｂを薄肉状に形成して成る凹部３ａと、この凹部３ａ内にスライド可能に設けられた保護カバー２０とを有して構成される。
凹部３ａの両側壁内面３Ｃ，３Ｃには縦方向に延びる長溝３ｂ，３ｂが形成されている。保護カバー２０は平板状のカバー部２１とカバー部２１の一端をＬ字状に形成した脚部２２を有し、カバー部２１の両側面２３，２３の前方の位置には摺動片２４，２４が突設されている。
【００３１】
図５に示すように、保護カバー２０は摺動片２４，２４が、容器本体３側の長溝３ｂ，３ｂに挿入された状態で凹部３ａ内に装着されており、摺動片２４，２４が長溝３ｂ，３ｂ内を縦方向に沿って連続的に摺動可能な状態にある。そして、図５に示すように、保護カバー２０を後方にスライドさせた状態では外蓋４の内面に固着されているミラー８を覆うことができ、図６に示すように前方にスライドさせることによりミラー８を露出させることが可能となっている。
【００３２】
例えば、コンパクト容器１をバック内に仕舞い込んで携行する時などにおいては、保護カバー２０を後方にスライドさせてミラー８を覆っておくことにより、傷付きや指紋等による汚れからミラー８を保護することが可能となる。
また使用する時には、保護カバー２０を前方にスライドさせてミラー８を露出させればよい。この際には閉状態のコンパクト容器１の背面３Ｂを上向きにすると共に、片手の親指の付け根とその他４本の指との間に挟んだ状態とし、親指の先端部分を動かして保護カバー２０のみを前方（図６の白抜き矢印方向）にスライドさせることでミラー８を露出させることができる。このため、例えば混雑した電車内においても、片手のスライド操作のみで簡単にミラー８を露出させることができるため、化粧等のチェックを容易に行うことが可能である。
なお、外蓋４を開放する場合には、保護カバー２０を前方にスライドさせてから行うようにすると、外蓋４の後端部４Ｅと容器本体３の後端部３Ｅとが干渉せずにスムーズに開くことが可能となる。
【００３３】
また保護カバー２０を、例えばアクリル板など透光性を有する合成樹脂材料によって形成してもよい。この場合には、保護カバー２０を移動させることなく、すなわち保護カバー２０でミラー８を覆った状態のまま透明なカバー部２１を透して化粧等のチェックを行うことが可能となる。このように保護カバー２０を透光性の材料で形成した場合には、保護カバー２０がスライドしない構成とすることもできるが、スライド可能な機構を採用しておけばミラー８を直接使用することが可能となる。
【００３４】
なお、保護カバー２０がスライドする時には、脚部２２の幅方向両側の下端が、外蓋４の内面４Ｂ側の枠部４ｂの上面を摺動するため、固定凹部４ｃ内に埋設されているミラー８の表面上を直接摺動しない。このため、スライド時に脚部２２の下端によってミラー８の表面が傷付くことを防止することが可能である。
【００３５】
図７は本発明の第３実施例としてコンパクト容器について、外蓋を開いた開状態を示す斜視図、図８は第３実施例としてのコンパクト容器について、外蓋を閉じた閉状態を示す断面図である。
【００３６】
第３実施例に示すコンパクト容器１が、上記第１実施例又は第２実施例と異なる点は、容器本体３の上面側の内部の構成にあり、その他の構成及び効果は上述の第１実施例又は第２実施例と共通している。したがって、以下においては主に第１実施例又は第２実施例と異なる点について説明する。
【００３７】
第３実施例に示すコンパクト容器１では、弾性部材１１が収容部２の上側で、且つ容器本体３の後端部３Ｅの位置に、幅方向の全範囲に渡って固定されている。弾性部材１１は、例えばシリコーン、ウレタン、スポンジのようなクッション材、あるいはフェルト材など容易に弾性変形可能な部材で形成されている。
【００３８】
図８に示すように外蓋４を閉じ、外蓋４側の係止片４ａが容器本体３側のフック機構９に係止させて閉状態にすると、弾性部材１１がミラー８の表面に密着することになる。よって、携行時等においてコンパクト容器１に衝撃が発生しても、弾性部材１１がその衝撃を吸収若しくは緩和し、収容部２の上側がミラー８の表面に当接することがなく、ミラー８の割れ、傷付き等を防止することができる。
しかも弾性部材１１がミラー８の表面に密着することで収容部２のシール性を向上させることができる。このため、外部から収容部２内への粉塵の侵入を防止することができる。あるいは収容部２内に収容されている化粧料の外部への漏れを防止することができる。
【００３９】
また図８に示すように、連結軸７の位置は、高さ方向の位置は湾曲形成された支持腕３Ａの先端の位置、より詳しくは容器本体３の収容部２の上面よりも上方の位置が好ましく、縦方向の位置は容器本体３の後端部３Ｅと外蓋４の後端部４Ｅとの間の中間位置（約１／２の位置）が好ましい。
このような構成にすると、外蓋４を開状態にする時、あるいは閉状態にする時に、連結軸７を回転の中心とする外蓋４の後端部４Ｅの軌跡が手の平等の接地面や容器本体３の後端部３Ｅに接触することなく、あるいは接触してもより小さな抵抗を受けただけで回動することができるため、外蓋４の開閉操作をよりスムーズに行うことができるようになる。
【００４０】
以上、実施例に沿って本発明の構成とその作用効果について説明したが、本発明の実施の形態は上記実施例に限定されるものではない。
【００４１】
例えば、上記実施例では容器本体３側に一対の支持腕３Ａを有する構成を示して説明したが、一対の支持腕を外蓋４側に設ける構成としても良い。
【００４２】
また上記第２実施例では保護カバー２０が長溝３ｂ内を連続的にスライドする場合を示して説明したが、例えば長溝３ｂの上面又は下面に縦方向に連続する凹凸を形成し、摺動片２４がこの凹凸上を段階的にスライドすると共に任意の箇所でスライドを止めた時に摺動片２４が凹凸に保持されて保護カバー２０をその場に停止させることが可能な構成としても良い。この構成では、保護カバー２０が携行中のバック内において勝手にスライド移動し、ミラー８が露出する状態に至ることを防止することができる。
【００４３】
また上記第２実施例では、容器本体３側の側壁内面３Ｃに縦方向に延びる長溝３ｂを形成し、保護カバー２０側の側面２３に摺動片２４を形成した構成を示して説明したが、保護カバー２０側の側面２３に長溝３ｂを形成し、容器本体３側の側壁内面３Ｃに摺動片２４を形成する構成であっても良い。
【産業上の利用可能性】
【００４４】
本発明は、コンパクト容器の分野における用途展開をさらに広い領域で図ることができる。
【符号の説明】
【００４５】
１    ：  コンパクト容器
２    ：  収容部
３    ：  容器本体
３Ａ  ：  支持腕（蝶番）
３Ｂ  ：  容器本体の背面
３Ｃ  ：  側壁内面
３Ｄ  ：  容器本体の前端部
３Ｅ  ：  容器本体の後端部
３Ｆ  ：  切欠き凹部
３ａ  ：  凹部
３ｂ  ：  長溝
４    ：  外蓋
４Ａ  ：  外蓋の表面
４Ａ１  ：  前端部側の表面
４Ａ２  ：  後端部側の表面
４Ａ３  ：  斜面
４Ｂ  ：  内面
４Ｄ  ：  外蓋の前端部
４Ｅ  ：  外蓋の後端部
４ａ  ：  係止片
４ｂ  ：  枠部
４ｃ  ：  固定凹部
６    ：  蝶番
７    ：  連結軸（蝶番）
８    ：  ミラー
９    ：  フック機構
９ａ  ：  係止突起
９ｂ  ：  傾斜部
１０  ：  操作ボタン
１０ａ：  押上片
１１  ：  弾性部材
２０  ：  保護カバー
２１  ：  カバー部
２２  ：  脚部
２３  ：  側面
２４  ：  摺動片
【図１】
2016158764.tif 000003
【図２】
2016158764.tif 000004
【図３】
2016158764.tif 000005
【図４】
2016158764.tif 000006
【図５】
2016158764.tif 000007
【図６】
2016158764.tif 000008
【図７】
2016158764.tif 000009
【図８】
2016158764.tif 000010